(57)【要約】【課題】２台の二輪車の併走を精度良く検知することのできる料金収受システムを提供する。【解決手段】車両の通過を車線の路側からの観測により検知する車両検知装置７と、車線の路側に設置され、車両検知装置にて車両の通過が検知されたとき、この検知された車両との間の車線幅方向の距離を計測する距離センサ８とを設ける。車線制御装置１は、車両検知装置７にて車両の通過が検知されたとき、無線アンテナを通じて車両の車載器から車種情報を受信し、この受信した車種情報をもとに、通過が検知された車両が１台の二輪車であることが判定された場合、距離センサ８より距離計測結果を取得し、これをもとに通過が検知された二輪車に併走する二輪車の有無を判定する。【選択図】図２
2007157066.tif 000002
【特許請求の範囲】
【請求項１】
車両の通過を車線の路側からの観測により検知する車両検知装置と、
前記車線の路側に設置され、前記車両検知装置にて前記車両の通過が検知されたとき、この検知された車両との間の前記車線の幅方向の距離を計測する距離センサと、
前記車両に搭載された車載器との無線通信を行う無線アンテナと、
前記車両検知装置にて前記車両の通過が検知されたとき、前記無線アンテナを通じて前記車両の前記車載器から車種情報を受信し、この受信した車種情報をもとに、通過が検知された車両が１台の二輪車であることが判定された場合、前記距離センサより距離計測結果を取得し、これをもとに前記通過が検知された前記二輪車に併走する二輪車の有無を判定する車線制御装置と
を具備することを特徴とする料金収受システム。
【請求項２】
車両の運転員に料金収受の処理に関する情報を表示する路側表示部をさらに具備し、前記車線制御装置は、受信した車種情報をもとに、通過が検知された車両が２台の二輪車であることが判定された場合、それぞれの前記二輪車の前記車載器との間で前記無線アンテナを通じて料金収受のための処理を行い、この結果、１台の二輪車の前記車載器との間での料金収受のための処理が正常に終了しない場合に、前記路側表示部に停車を指示する情報を表示させるように制御を行うことを特徴とする請求項１に記載の料金収受システム。
【請求項３】
前記距離センサは前記車線の両側よりそれぞれ前記車両までの距離を計測し、前記車線制御装置は前記距離センサによって前記車線の両側よりそれぞれ計測された距離をもとに、前記通過が検知された前記二輪車に併走する二輪車の有無を判定することを特徴とする請求項１または２に記載の料金収受システム。
【請求項４】
前記距離センサは前記車線の一方の路側より前記車両までの距離を計測し、前記車線制御装置は前記距離センサによって前記車線の一方の路側より計測された距離をもとに、前記通過が検知された前記二輪車に併走する二輪車の有無を判定することを特徴とする請求項１または２に記載の料金収受システム。
【請求項５】
車両の通過を車線の路側からの観測により検知する車両検知装置と、
前記車線の路側に設置され、前記車両検知装置にて前記車両の通過が検知されたとき、この検知された車両との間の前記車線の幅方向の距離を計測する距離センサとを設けておき、
前記車両検知装置にて前記車両の通過が検知されたとき、前記無線アンテナを通じて前記車両の前記車載器から車種情報を受信するステップと、
前記受信した車種情報をもとに、通過が検知された車両が１台の二輪車であることが判定された場合、前記距離センサより距離計測結果を取得し、これをもとに前記通過が検知された前記二輪車に併走する二輪車の有無を判定する判定ステップと
を具備することを特徴とする料金収受方法。
【請求項６】
前記判定ステップにて受信した車種情報をもとに、通過が検知された車両が２台の二輪車であることが判定された場合、それぞれの前記二輪車の前記車載器との間で前記無線アンテナを通じて料金収受のための処理を行い、この結果、１台の二輪車の前記車載器との間での料金収受のための処理が正常に終了しない場合に、路側表示部に停車を指示する情報を表示することを特徴とする請求項５に記載の料金収受方法。
【請求項７】
前記距離センサは前記車線の両側よりそれぞれ前記車両までの距離を計測するものであって、前記判定ステップは、前記距離センサによって前記車線の両側よりそれぞれ計測された距離をもとに、前記通過が検知された前記二輪車に併走する二輪車の有無を判定することを特徴とする請求項５または６に記載の料金収受方法。
【請求項８】
前記距離センサは前記車線の一方の路側より前記車両までの距離を計測するものであって、前記判定ステップは、前記距離センサによって前記車線の一方の路側より計測された距離をもとに、前記通過が検知された前記二輪車に併走する二輪車の有無を判定することを特徴とする請求項５または６に記載の料金収受方法。
【発明の詳細な説明】
【技術分野】
【０００１】
本発明は、有料道路の料金収受システムおよび料金収受方法に関し、特に一車線内での二輪車の併走検知を行うことを可能とした料金収受システムおよび料金収受方法に関するものである。
【背景技術】
【０００２】
有料道路の料金収受システムにおいて、ＥＴＣ（ノンストップ自動料金収受システム：Electronic Toll Collection system）が導入・運用されている。ＥＴＣシステムとは、有料道路の路側に設置されたアンテナ部と、車両に装着された車載器との間での無線通信により自動的に料金の支払いを実施することによって、料金所をノンストップで通行することを可能としたシステムである。車載器は、車両に関する情報やクレジット情報などが記録された接触式ＩＣカードの着脱が可能とされ、路側機器からの無線による問い合わせに対して、接触式ＩＣカードから上記の情報を読み出して路側機器へ無線で応答するようになっている。
【０００３】
ところで、二輪車の料金収受方式には未だ磁気カードシステムが主流である。磁気カードシステムは、入口料金所で通行券を受け取り、出口で通行券情報をもとに料金算出を行って通行料の徴収（現金、ハイウェイカード、クレジットカードなどによる決済）を行う方式である。しかし、ハイウェイカードの廃止や、ＥＴＣの急激な普及に伴い、二輪車の料金収受方式にもＥＴＣシステムを適用すべきとの要望が強くなってきている。
【０００４】
なお、四輪車と二輪車の混在可能な形式のＥＴＣシステムに関する公知の技術には、たとえば、特許文献１、特許文献２などがある。
【特許文献１】特開２００４−０８６３４２号公報
【特許文献２】特開２００４−０１３７００号公報
【発明の開示】
【発明が解決しようとする課題】
【０００５】
四輪車と二輪車の混在可能なＥＴＣシステムを実現しようとする場合の問題として、料金所内の車線の幅が主に四輪車の車幅を考慮して決められているために、二輪車だと同時に２台がその料金所内の車線を横並びに併走できてしまうことが挙げられる。従来のＥＴＣシステムでは、そのような二輪車の併走を検知する手段が無く、故に以下のような不都合が発生するおそれがある。
【０００６】
既設のＥＴＣシステムでは、車両検知装置にて車線の幅方向からの検知光によって料金所内への車両の進入を検知している。したがって、車載器を搭載した二輪車（以下「ＥＴＣ二輪車」と記述）と車載器を搭載しない二輪車（以下「非ＥＴＣ二輪車」と記述）とが併走して料金所内に進入した場合、車両検知装置による車両の検知では１台の二輪車しか検知できない。ＥＴＣ二輪車は、これに搭載された車載器と路側アンテナ部との無線通信によって、車両の車種情報などが路側の車線制御装置に送信されるので、結果的に、ＥＴＣ二輪車の進入のみが判定され、非ＥＴＣ二輪車の進入を判定することができない。したがって、未処理のまま非ＥＴＣ二輪車が料金所を通過することを許してしまうおそれがあった。また、路側表示器の表示も実際の状況とは不適合な内容となり、車両の運転員に混乱をもたらすおそれがある。
【０００７】
本発明はこのような課題を解決するもので、２台の二輪車の併走を精度良く検知することのできる料金収受システムおよび料金収受方法を提供することを目的としている。
【課題を解決するための手段】
【０００８】
上記課題を解決するために、本発明の料金収受システムは、車両の通過を車線の路側からの観測により検知する車両検知装置と、前記車線の路側に設置され、車両検知装置にて車両の通過が検知されたとき、この検知された車両との間の車線の幅方向の距離を計測する距離センサと、車両に搭載された車載器との無線通信を行う無線アンテナと、車両検知装置にて車両の通過が検知されたとき、無線アンテナを通じて車両の車載器から車種情報を受信し、この受信した車種情報をもとに、通過が検知された車両が１台の二輪車であることが判定された場合、距離センサより距離計測結果を取得し、これをもとに通過が検知された二輪車に併走する二輪車の有無を判定する車線制御装置とを具備することを特徴とする。
【０００９】
本発明によれば、車線制御装置は、車両検知装置にて車両の通過が検知されたとき、無線アンテナを通じて車両の車載器から車種情報を取得して通過が検知された車両の種別を判定し、車両が１台の二輪車（ＥＴＣ二輪車）であることを判定した場合、距離センサより距離計測結果を取得し、これをもとに通過が検知された二輪車（ＥＴＣ二輪車）に併走する二輪車（非ＥＴＣ二輪車）の有無を判定する。すなわち、車線の車両が二輪車であることが分かっていれば、二輪車の併走は、これらの二輪車が車線のセンターよりも大きく左右に位置する状況を検出することによって判定することが可能である。
【００１０】
さらに、本発明の料金収受システムにおいて、車両の運転員に料金収受の処理に関する情報を表示する路側表示部をさらに具備し、車線制御装置は、受信した車種情報をもとに、通過が検知された車両が２台の二輪車であることが判定された場合、それぞれの二輪車の車載器との間で無線アンテナを通じて料金収受のための処理を行い、この結果、１台の二輪車の車載器との間での料金収受のための処理が正常に終了しない場合に、路側表示部に停車を指示する情報を表示させるように制御を行うものとしてもよい。これにより、ＥＴＣ二輪車と併走する非ＥＴＣ二輪車や異常ＥＴＣ二輪車が未処理のまま料金所を通過してしまうことを防止することができる。
【００１１】
また、本発明の料金収受システムにおいて、距離センサは車線の両側よりそれぞれ車両までの距離を計測し、車線制御装置は距離センサによって車線の両側よりそれぞれ計測された距離をもとに、通過が検知された二輪車に併走する二輪車の有無を判定するものであってもよい。
【００１２】
車線の両側より車線幅方向に二輪車までの距離をそれぞれ計測すれば、併走する２台の二輪車と単独走行している二輪車との判別を正確に行うことが可能である。
【００１３】
また、本発明の料金収受システムにおいて、距離センサは車線の一方の路側より車両までの距離を計測し、車線制御装置は距離センサによって車線の一方の路側より計測された距離をもとに、通過が検知された二輪車に併走する二輪車の有無を判定するものとしてもよい。
【００１４】
この発明は、車線の片側から二輪車までの距離を計測する場合、距離センサの設置されている側に近い位置を二輪車が走行している状況を、二輪車が併走してい状況として判定するものである。但し、距離センサの設置されている側から離れた位置を二輪車が走行しているかどうかは不明なので、この方式を採用するにあたっては、二輪車の単独走行時は、距離センサの設置されている側から離れた位置を走行するように規則を設ける必要がある。
【発明の効果】
【００１５】
本発明の料金収受システムおよび料金収受方法によれば、２台の二輪車の併走を精度良く検知することができる。これにより、ＥＴＣ二輪車と併走する非ＥＴＣ二輪車や異常ＥＴＣ二輪車が未処理のまま料金所を通過してしまうことを防止することができる。
【発明を実施するための最良の形態】
【００１６】
以下、本発明の実施の形態を図面に基づき説明する。
【００１７】
図１は本発明の一実施形態にかかる料金収受システムの一車線あたりの機器構成を示すブロック図、図２は図１の料金収受システムにおける一車線あたりの各機器の配置を示す図である。
【００１８】
これらの図に示すように、この料金収受システム１００には、一つの車線９に対応する機器として、車線制御装置１、路側無線装置（無線アンテナ）２、発進制御装置３、路側表示器４、車両検知装置５，６，７、および二輪車併走検知用の２つの距離センサ８Ａ，８Ｂが設けられている。２つの距離センサ８Ａ，８Ｂは車線９を挟んで対向するように両方の路側に配置されている。
【００１９】
車線制御装置１は、上記の各機器との間で情報をやりとりして上記機器の統括的な制御および料金収受のための処理を行う装置である。車線制御装置１は、たとえば、プログラムを実行するＣＰＵ（Central Processing Unit）、ＲＯＭ（Read Only Memory）、実行中のプログラムやデータなどを記憶するメインメモリであるＲＡＭ（Random Access Memory）、プログラムやデータを蓄積するハードディスクドライブなどの記憶装置、操作員からのＣＰＵへの各種の入力を行う入力部などで構成される。
【００２０】
路側無線装置２は、料金所の車線９に進入した車両１０に搭載された車載器（図示省略）との間で料金収受の処理のための無線通信を行う無線アンテナである。なお、図２では二輪車が車両１０として記述されているが、「車両１０」と表記する場合には四輪者、二輪車を含む車両全般のことを言い、「二輪車１０」と表記する場合には二輪車のことを言う。
【００２１】
車線制御装置１は、車両検知装置７からの信号をもとに車両１０の通過が検知されたことを受けて、その車両１０に搭載された車載器（図示省略）との間での無線通信を開始するように路側無線装置２の制御を行う。
【００２２】
発進制御装置３は、車線制御装置１からの制御信号をもとに開閉する阻止棒３ａを備え、料金収受の処理が正常に完了した場合には阻止棒３ａを開放状態にして車両１０の発進を許可し、その他は場合には阻止棒３ａを閉鎖状態にして車両１０の発進を阻止する。車線制御装置１は、発進制御用の車両検知装置６からの信号をもとに発進制御装置３の阻止棒３ａの開閉を制御する。なお、発進制御装置３は、車線９の両サイドの路側に一機ずつ対向して配置されている。
【００２３】
路側表示器４は、車両１０の運転員に料金収受の処理結果や各種の指示情報を表示するための装置である。
【００２４】
距離センサ８Ａ，８Ｂは、車線９の両側の路側に設置され、車両検知装置７によって車両１０の通過が検知されたとき、この検知された車両との間の車線幅方向の距離をそれぞれ計測して、距離計測信号を車線制御装置１に出力する手段である。
【００２５】
車両検知装置５，６，７には、具体的には光透過式センサなどが採用されている。あるいは光反射式センサを用いてもよい。距離センサ８Ａ，８Ｂには、具体的には、レーザーパルスの発光からその反射光の受光までの時間を測定することによって車両までの距離を計測するレーザー距離センサ、超音波の発信から受信までに要した時間と音速との関係を演算することで距離を計測する超音波距離センサ、赤外線センサなどが採用されている。
【００２６】
図２および図３に示すように、車両検知装置７は車線方向に所定の距離を置いて２機設けられている。各々の車両検知装置７は光透過式センサを構成する発光装置７ａと受光装置７ｂとの組み合わせで構成され、これら発光装置７ａと受光装置７ｂは車線９を挟んで対向するように車線９の両方の路側に配置されている。また、２つの距離センサ８Ａ，８Ｂは車線９の両方の路側に対向するように設置され、かつ車線方向においては上記２機の車両検知装置７，７の間に設置されている。距離センサ８Ａ，８Ｂの高さ方向の位置ｈは、二輪車の高さを考慮して最適に設定すればよい。たとえば、二輪車の平均的な高さ寸法の１／２程度の高さでよい。２機の車両検知装置７，７の車線方向の設置間隔Ｘは二輪車の全長よりも短い距離に設定されている。すなわち、この実施形態では、２機の車両検知装置７，７が通過車両によって同時に遮光されたときに各距離センサ８Ａ，８Ｂをオンにして、各距離センサ８Ａ，８Ｂからの距離計測信号を車線制御装置１に取り込むように構成されている。
【００２７】
次に、本実施形態の料金収受システム１００の動作を説明する。
【００２８】
図４は本実施形態の料金収受システム１００の二輪車の併走検知処理とこの併走検知結果に応じた処理の手順を示すフローチャートである。このフローチャートは車線制御装置１が実行する制御手順を示している。
【００２９】
ステップＳ１：車線制御装置１は、２つの車両検知装置７，７からの信号を監視しており、これら車両検知装置７，７からの信号が同時に非透過の状態に対応する値になったとき（車両１０によって車両検知装置７，７の２つの検知光がともに遮られたとき）ステップＳ２に進む。その他の場合、車線制御装置１は車両検知装置７，７からの信号の監視を続ける。
【００３０】
ステップＳ２，Ｓ３：車線制御装置１は、車両１０に搭載された車載器との無線通信を行うように路側無線装置２を制御するとともに、２つの距離センサ８Ａ，８Ｂをオンにして、それぞれの距離センサ８Ａ，８Ｂからの距離計測信号を取り込む。
【００３１】
ステップＳ４：車線制御装置１は、路側無線装置２を通じて車両１０の車載器から車種情報を取得して、この取得した車種情報が示す車種が二輪車であるかどうかを判定する。この際、車線制御装置１は、路側無線装置２を通じて、車両１０の車載器に向けて問い合わせ信号を送り、この問い合わせ信号に対して車両１０の車載器より応答された情報を取得する。なお、このとき、２台のＥＴＣ二輪車が併走している場合には、それぞれのＥＴＣ二輪車の車載器から車種情報を取得し、併走する２台の二輪車の１台がＥＴＣ二輪車の場合には、そのＥＴＣ二輪車の車載器から車種情報を取得する。取得した車種情報が二輪車以外（たとえば四輪車など）の場合にはステップＳ５に、二輪車である場合にはステップＳ８に進む。
【００３２】
ステップＳ５：車線制御装置１は、取得した車種情報が示す車種が二輪車以外（たとえば四輪車など）の場合には併走検知処理を中止して、ステップＳ６に進む。
【００３３】
ステップＳ６：車線制御装置１は、車両１０に搭載された車載器との間で、路側無線装置２を通じて通常の料金収受のための処理を行い、ステップＳ７に進む。
【００３４】
ステップＳ７：車線制御装置１は、路側表示器４に、たとえば図５に示すように、通常の料金収受（ＥＴＣ）によって通行が可能である旨を表示するように制御する。この後、処理が終了する。
【００３５】
ステップＳ８，Ｓ９：車線制御装置１は、取得した車種情報が二輪車の場合には併走検知処理を実行し、２台の二輪車の併走を検知した場合にはステップＳ１０に進み、その他の場合にはステップＳ６の通常の料金収受（ＥＴＣ）のための処理に進む。なお、この二輪車の併走検知処理については後で詳細を説明する。
【００３６】
ステップＳ１０：車線制御装置１は、併走している２台の二輪車１０，１０´それぞれに搭載された車載器との間で、路側無線装置２を通じて料金収受のための処理を並行して行い、ステップＳ１１へ進む。
【００３７】
ステップＳ１１：車線制御装置１は、併走している２台の二輪車１０，１０´それぞれに搭載された車載器との間での料金収受のための処理が正常に終了したかどうかを判断し、２台とも正常に終了した場合にはステップＳ１２へ進み、その他の場合にはステップＳ１４へ進む。
【００３８】
ステップＳ１２：併走している２台の二輪車１０，１０´それぞれに搭載された車載器との間での料金収受のための処理が正常に終了した場合には、車線制御装置１は、路側表示器４に、たとえば図６に示すように、通常の料金収受（ＥＴＣ）によって２台の通行が可能である旨を表示するように制御する。この後、ステップＳ１３へ進む。
【００３９】
ステップＳ１３：車線制御装置１は、発進制御装置３を開放状態とするように制御する。
【００４０】
ステップＳ１４：車線制御装置１は、併走している２台の二輪車１０，１０´のいずれか１台に搭載された車載器との間での料金収受のための処理が正常に終了したかどうかを判断し、２台とも正常に終了した場合にはステップＳ１５へ進み、その他の場合にはステップＳ１９へ進む。
【００４１】
ステップＳ１５：車線制御装置１は、併走している２台の二輪車のいずれか１台に搭載された車載器との間でのみ料金収受のための処理が正常に終了したことを判断した場合には、路側表示器４に、たとえば図７に示すように、いずれか１台の二輪車との料金収受が未処理である可能性があるとして停車を指示する旨を表示するように制御する。
【００４２】
ステップＳ１６：車線制御装置１は、発進制御装置３を閉鎖状態とするように制御する。この後、ステップＳ１７へ進む。
【００４３】
ステップＳ１７：車線制御装置１は、たとえば、図示しない収受員ブース内の収受員に、収受員ブース内の収受機の表示画面などを通じて、いずれか１台の二輪車との料金収受が未処理である旨を通知する。この通知を受けて収受員は、料金収受が未処理である一方の二輪車１０について、収受員ブース内の収受機を使って料金収受のための処理を行う。収受員ブース内の収受機での料金収受のための処理が終了すると、車線制御装置１へ処理完了が通知される。これにより、ＥＴＣ二輪車と併走する非ＥＴＣ二輪車、異常ＥＴＣ二輪車が未処理のまま料金所を通過してしまうことが防止される。
【００４４】
ステップＳ１８：車線制御装置１は、収受員ブース内の収受機からの処理完了通知を受けて、発進制御装置３を開放状態とするように制御する。
【００４５】
ステップＳ１９：車線制御装置１は、ステップＳ１４で、併走している２台の二輪車１０，１０´の両方とも料金収受のための処理が正常に終了しなかった場合には、路側表示器４に、たとえば図８に示すように、停車を指示する旨を表示するように制御する。
【００４６】
ステップＳ２０：車線制御装置１は、発進制御装置３を閉鎖状態とするように制御する。この後、ステップＳ２１へ進む。
【００４７】
ステップＳ２１：車線制御装置１は、たとえば、図示しない収受員ブース内の収受員に、収受員ブース内の収受機の表示画面などを通じて、２台の二輪車１０，１０´との料金収受が未処理である旨を通知する。これにより、収受員は、２台の二輪車１０，１０´について、収受員ブース内の収受機を使って料金収受のための処理を行う。収受員ブース内の収受機での料金収受のための処理が終了すると、車線制御装置１へ処理完了が通知される。
【００４８】
ステップＳ２２：車線制御装置１は、収受員ブース内の収受機からの処理完了通知を受けて、発進制御装置３を開放状態とするように制御する。
【００４９】
次に、二輪車の併走検知処理の詳細を説明する。
【００５０】
図２に示したように、車線９に２台の二輪車１０，１０´が併走して進入してきた場合には、２つの車両検知装置７，７からの信号が同時に非透過の状態に対応する値になっている時間範囲内に２台の二輪車１０，１０´が車両検知装置７，７の検知位置を通過する。
【００５１】
ここで、併走する２台の二輪車１０，１０´がＥＴＣ二輪車の場合、車線制御装置１は、路側無線装置２を通じて各ＥＴＣ二輪車１０，１０´の車載器から取得した車種情報をもとに、２台のＥＴＣ二輪車１０，１０´が料金所車線９に存在し、かつこれら２台のＥＴＣ二輪車１０，１０´が併走していることを判定する。
【００５２】
また、車線９に１台のＥＴＣ二輪車１０と１台の非ＥＴＣ二輪車１０´が併走して進入してきた場合、車線制御装置１は、路側無線装置２を通じてＥＴＣ二輪車１０の車載器から取得した車種情報をもとに、通過が検知された車両が１台のＥＴＣ二輪車であることを判定した場合、２つの距離センサ８Ａ，８Ｂからそれぞれ取得した距離Ｌａ，Ｌｂをもとに２台の二輪車が併走しているかどうかを判定する。
【００５３】
ここで距離センサ８Ａによって測定される距離Ｌａとは車線９の左側の端から左寄りを走行中の車両１０までの距離である。距離センサ８Ｂによって測定される距離Ｌｂとは車線９の右側の端から右寄りを走行中の車両１０´までの距離である。２台の二輪車１０，１０´が併走すると、各々の二輪車１０，１０´は車線９の幅を二分割したそれぞれの領域内を走行することが普通である。そこで、上記の二分割した領域のうちの左側の領域を二輪車１０が走行している場合に距離センサ８Ａによって計測されるであろう距離範囲Ｌａｘと、右側の領域を二輪車１０´が走行している場合に距離センサ８Ｂによって計測されるであろう距離範囲Ｌｂｘとを規定しておき、各距離センサ８Ａ，８Ｂから取得した距離Ｌａ，Ｌｂがそれぞれ上記の規定の距離範囲Ｌａｘ，Ｌｂｘ内である場合に二輪車の併走と判定する方法が考えられる。なお、距離範囲Ｌａｘは、車線９の幅を二分割した左側の領域のセンターから右寄りにマージンをとった値にすることが望ましく、距離範囲Ｌｂｘは、車線９の幅を二分割した右側の領域のセンターから左寄りにマージンをとった値にすることが望ましい。
【００５４】
また、図９に示すように、車線９に１台の二輪車１０が単独で走行している場合、各距離センサ８Ａ，８Ｂから取得した距離Ｌａ，Ｌｂの和を車線９の幅ｗから差し引いた値は二輪車１台分の幅ｗ１０とほぼ等しい。したがって、各距離センサ８Ａ，８Ｂから取得した距離Ｌａ，Ｌｂの和を車線９の幅ｗから差し引いた値が、二輪車１台分の幅ｗ１０よりも十分（しきい値以上）大きければ、二輪車の併走を判定する事が可能である。なお、二輪車１台分の幅は車種や測定位置によって多少異なるので、このようなバラツキを考慮して上記のしきい値を決めれば、精度良く二輪車の併走検知を行うことができる。
【００５５】
以上のように本実施形態の料金収受システムによれば、２台の二輪車の併走を精度良く検知することができる。これにより、２台の二輪車に対する料金収受の処理を明示的に安定して行うことができるとともに、ＥＴＣ二輪車と併走する非ＥＴＣ二輪車や異常ＥＴＣ二輪車が未処理のまま料金所を通過してしまうことを防止することができる。
【００５６】
次に、本発明の第２の実施形態を説明する。
【００５７】
図１０は本発明の第２の実施形態にかかる料金収受システムの一車線あたりの機器構成を示すブロック図、図１１は図１０の料金収受システムにおける一車線あたりの各機器の配置を示す図である。
【００５８】
これらの図に示すように、この料金収受システム２００には、一つの車線９に対応する機器として、車線制御装置１、路側無線装置（無線アンテナ）２、発進制御装置３、路側表示器４、車両検知装置５，６，７、および二輪車併走検知用の１つの距離センサ８が設けられている。
【００５９】
次に、本実施形態の料金収受システム２００の動作を説明する。
【００６０】
本実施形態の料金収受システム２００の二輪車の併走検知処理とこの併走検知結果に応じた処理は、図４に示した第１の実施形態の手順と基本的に同じであるが、ステップＳ８の二輪車の併走検知処理の方法が異なる。なお、本実施形態の料金収受システム２００では、図１１に示したように、距離センサ８は車両１０の走行方向左側の路側に設置されているものとする。また、料金所内の車線９を１台の二輪車が走行する際には車線の左寄りの走行を禁止することとする。
【００６１】
車線９に２台の二輪車１０，１０´が併走して進入してきた場合には、２つの車両検知装置７，７からの信号が同時に非透過の状態に対応する値になっている時間範囲内に２台の二輪車１０，１０´が車両検知装置７，７の検知位置を通過する。
【００６２】
ここで、併走する２台の二輪車１０，１０´がＥＴＣ二輪車の場合、車線制御装置１は、路側無線装置２を通じて各ＥＴＣ二輪車１０，１０´の車載器から取得した車種情報をもとに、２台のＥＴＣ二輪車１０，１０´が料金所車線９に存在し、かつこれら２台のＥＴＣ二輪車１０，１０´が併走していることを判定する。
【００６３】
また、車線９に１台のＥＴＣ二輪車１０と１台の非ＥＴＣ二輪車１０´が併走して進入してきた場合、車線制御装置１は、路側無線装置２を通じてＥＴＣ二輪車１０の車載器から取得した車種情報をもとに、少なくとも１台のＥＴＣ二輪車の進入を判定するとともに、距離センサ８から取得した距離Ｌをもとに２台の二輪車が併走しているかどうかを判定する。距離センサ８によって測定される距離Ｌとは車線９の左側の端から車両１０までの距離である。
【００６４】
２台の二輪車１０，１０´が併走すると、各々の二輪車１０，１０´は車線９の幅を二分割したそれぞれの領域内のセンターを走行することが普通である。そこで、上記の二分割した領域のうちの左側の領域を二輪車１０が走行している場合に距離センサ８によって計測されるであろう距離範囲Ｌｘを規定しておき、距離センサ８から取得した距離が上記の規定の距離範囲Ｌｘにある場合に二輪車の併走を検知する。ただし、この際、二輪車が車線９の左側を単独で走行している場合との判別はできない。したがって、この二輪車併走検知方法を採用した場合には、二輪車が車線９の左寄りを単独で走行することを禁止事項とし、この旨を二輪車の運転員に表示などによって前もって報知することが望ましい。
【００６５】
なお、距離範囲Ｌｘは、車線９の幅を二分割した左側の領域のセンターから右寄りに所定のマージンをとった値にすることが望ましい。
【００６６】
禁止事項を破ってＥＴＣ二輪車が車線９の左寄りを単独で走行した場合には、車線制御装置１は二台の二輪車の併走を検知するが、この場合、図４のステップＳ１０での二台の二輪車についての無線通信による料金収受の処理で、結果的に１台のＥＴＣ二輪車についてのみ無線通信による料金収受の処理が正常に終了する。この場合には、ステップＳ１５で、路側表示器４に、たとえば図１２に示すように、左側走行が禁止であるとして停車を指示する旨が表示され、ステップＳ１６で発進制御装置３が一旦閉鎖状態とされ、ステップＳ１７で収受員による処理（確認）を経て、発進制御装置３が開放され、ＥＴＣ二輪車の進入が許可される。
【００６７】
さらに、上記の２つの方法を組み合わせて二輪車の併走検知を行うようにしてもよい。この場合、２つの方法のいずれか一方の方法で二輪車の併走が検知された場合に二輪車の併走を最終的に判定したり、両方の方法で二輪車の併走が検知された場合に二輪車の併走を最終的に判定するようにしてもよい。
【００６８】
次に、変形例を説明する。
【００６９】
以上、路側に距離センサを配置し、路面と水平な方向から二輪車１０までの距離を計測するように構成した場合について説明したが、図１３、図１４に示すように、２つの距離センサ８Ｃ，８Ｄを車線９の上方に配置して、各距離センサ８Ｃ，８Ｄから二輪車１０（運転員を含めた二輪車）までの垂直方向の距離Ｌｃ，Ｌｄを計測する方法も考えられる。また、各距離センサ８Ｃ，８Ｄは車線方向において２機の車両検知装置７，７の間に設置されている。車線９の幅方向における各距離センサ８Ｃ，８Ｄの位置は、車線９の幅を二分割したそれぞれの領域のセンターに配置されている。ただし、二輪車１０か必ずしもセンターを通過するとは限らないので、それぞれの距離センサ８Ｃ，８Ｄは、車線９の幅方向に距離検知可能な範囲のマージンを有したものが用いられている。
【００７０】
この変形例での二輪車の併走検知は以下のように行われる。
【００７１】
二輪車の通過を検知するための有効な距離範囲Ｌｘをあらかじめ規定しておく。車線制御装置１は、路側無線装置２を通じて各車両１０，１０´の車載器から取得した車種情報をもとに、２台の二輪車１０，１０´が料金所の車線９に存在することを判断した後、距離センサ８Ｃ，８Ｄによって計測された距離Ｌｃ，Ｌｄがそれぞれ上記の距離範囲内にあるかどうかを判断し、距離Ｌｃ，Ｌｄがそれぞれ上記の距離範囲内にあるならば二輪車１０，１０´の併走と判定する。
【００７２】
なお、本発明の料金収受システムおよび料金収受方法は、上述の実施形態にのみ限定されるものではなく、本発明の要旨を逸脱しない範囲内において種々変更を加え得ることは勿論である。
【図面の簡単な説明】
【００７３】
【図１】本発明の一実施形態にかかる料金収受システムの一車線あたりの機器構成を示すブロック図である。
【図２】図１の料金収受システムにおける一車線あたりの各機器の配置を示す平面図である。
【図３】図２の車両検知装置と距離センサとの位置関係を示す側面図である。
【図４】図１の料金収受システムにおける二輪車の併走検知処理とこの併走検知結果に応じた処理の手順を示すフローチャートである。
【図５】路側表示器の表示例（通常の料金収受時）を示す図である。
【図６】路側表示器の表示例（２台の二輪車との料金収受時）を示す図である。
【図７】路側表示器の表示例（１台の二輪車の料金収受が未処理時）を示す図である。
【図８】路側表示器の表示例（２台の二輪車の料金収受が未処理時）を示す図である。
【図９】二輪車の併走検知の計算方法を説明するための平面図である。
【図１０】本発明の第２の実施形態にかかる料金収受システムの一車線あたりの機器構成を示すブロック図である。
【図１１】図１０の料金収受システムにおける一車線あたりの各機器の配置を示す平面図である。
【図１２】図１０の料金収受システムにおける路側表示器の表示例を示す図である。
【図１３】距離センサの変形例を示す側面図である。
【図１４】距離センサの変形例を示す平面図である。
【符号の説明】
【００７４】
１…車線制御装置、２…路側無線装置、３…発進制御装置、４…路側表示器、５，６，７…車両検知装置、８，８Ａ，８Ｂ…距離センサ、９…車線、１０，１０´…車両（二輪車）、１００，２００…料金収受システム
【図１】
2007157066.tif 000003
【図２】
2007157066.tif 000004
【図３】
2007157066.tif 000005
【図４】
2007157066.tif 000006
【図５】
2007157066.tif 000007
【図６】
2007157066.tif 000008
【図７】
2007157066.tif 000009
【図８】
2007157066.tif 000010
【図９】
2007157066.tif 000011
【図１０】
2007157066.tif 000012
【図１１】
2007157066.tif 000013
【図１２】
2007157066.tif 000014
【図１３】
2007157066.tif 000015
【図１４】
2007157066.tif 000016